(57)【要約】【課題】液性がアルカリ性でも液の安定性が高い上に、各防食剤成分の相互作用により相対的に低い配合量で、鉄系金属及び銅系金属の両方に対して十分な防食性を付与することのできる防食用水処理剤を提供すること。【解決手段】（ａ）ホスホノカルボン酸を５〜７．５質量％と、（ｂ）アゾール化合物を０．５〜２質量％と、（ｃ）アルカリ金属水酸化物と、（ｄ）水と、を含有し、水で１０倍に希釈した際のｐＨが、９以上である防食用水処理剤。また、前記防食用水処理剤は、（ｅ）水溶性亜鉛化合物を亜鉛元素換算で０．２５〜１質量％を更に含有することが好ましい。【選択図】図１
2017088993.tif 000002
【特許請求の範囲】
【請求項１】
（ａ）ホスホノカルボン酸を５〜７．５質量％と、
（ｂ）アゾール化合物を０．５〜２質量％と、
（ｃ）アルカリ金属水酸化物と、
（ｄ）水と、を含有し、
体積が１０倍となるように水で希釈した際のｐＨが、９以上である防食用水処理剤。
【請求項２】
（ｅ）水溶性亜鉛化合物を亜鉛元素換算で０．２５〜１質量％を更に含有する請求項１に記載の防食用水処理剤。
【請求項３】
冷却塔と被冷却装置との間を循環する循環水に対して、請求項１に記載の防食用水処理剤を、前記防食用水処理剤が１２０〜４００ｍｇ／Ｌとなる量添加する防食方法。
【請求項４】
冷却塔と被冷却装置との間を循環する循環水に対して、請求項２に記載の防食用水処理剤を、前記防食用水処理剤が１００〜２００ｍｇ／Ｌとなる量添加する防食方法。
【発明の詳細な説明】
【技術分野】
【０００１】
本発明は、防食用水処理剤及び防食方法に関する。
【背景技術】
【０００２】
従来、冷却塔等の循環水を循環させる水系システムにおいて、配管、弁及び熱交換器等を構成する金属として、鉄系金属及び銅系金属が共存している。鉄系金属は、安価なため水系システムにおいて配管や弁として広く使用される。一方、銅系金属は、熱伝導性が高いため熱交換器の伝熱管等に使用される。
【０００３】
このような水系システムの循環水に対して、金属材料の腐食を抑えるために防食剤を含有する防食用水処理剤が添加されることが知られている（例えば、特許文献１参照）。鉄系金属の防食のためには、例えばアクリル酸系化合物の共重合体や、ホスホノカルボン酸や亜鉛化合物等が防食剤として用いられる。一方、銅系金属の防食のためには、アゾール化合物等が防食剤として用いられる。
【先行技術文献】
【特許文献】
【０００４】
【特許文献１】特開２０１２−４１６０６号公報
【発明の概要】
【発明が解決しようとする課題】
【０００５】
上記に記載の通り、鉄系金属の防食のためには、例えばアクリル酸系化合物の共重合体や、ホスホノカルボン酸、重合リン酸化合物、亜鉛化合物等が防食剤として用いられる。一方、銅系金属の防食のためには、アゾール化合物等が防食剤として用いられる。このため、鉄系金属及び銅系金属の両方に対して十分な防食性を持つ水処理剤とするためには、各防食剤をそれぞれ個別に必要量配合する必要がある。
【０００６】
ところで、アルカリ金属水酸化物の防食用水処理剤を用いれば、水のｐＨを、腐食の生じ難い、高いｐＨ領域に維持しやすくなる。しかし、アルカリ金属水酸化物を含有する防食用水処理剤は、上記に記載の防食剤、即ちアクリル酸系化合物の共重合体、ホスホノカルボン酸、亜鉛化合物、アゾール化合物等を防食のために必要量同時に配合すると、水処理剤としての液安定性が不安定となり、沈殿等を生じやすい。
【０００７】
このように、アルカリ金属水酸化物を含有し液性がアルカリ性である上に、液の安定性が高く沈殿など発生せず、鉄系金属及び銅系金属の両方に対して十分な防食性を付与することができる防食用水処理剤が求められている。また、防食用水処理剤に配合される各防食剤成分の配合量は、十分な防食性を付与する限り少量であることが望ましい。
【０００８】
本発明は、液性がアルカリ性である上に、各防食剤成分の相互作用により相対的に低い配合量で、鉄系金属及び銅系金属の両方に対して十分な防食性を付与することのできる防食用水処理剤を提供することを目的とする。
【課題を解決するための手段】
【０００９】
本発明は、（ａ）ホスホノカルボン酸を５〜７．５質量％と、（ｂ）アゾール化合物を０．５〜２質量％と、（ｃ）アルカリ金属水酸化物と、（ｄ）水と、を含有し、体積が１０倍となるように水で希釈した際のｐＨが、９以上である防食用水処理剤に関する。
【００１０】
また、前記防食用水処理剤は、（ｅ）水溶性亜鉛化合物を亜鉛元素換算で０．２５〜１質量％を更に含有することが好ましい。
【００１１】
また、本発明は、冷却塔に用いられる循環水に対して、本発明の防食用水処理剤を、前記防食用水処理剤が１２０〜４００ｍｇ／Ｌとなる量添加する防食方法に関する。
【００１２】
また、本発明は、冷却塔に用いられる循環水に対して、本発明の防食用水処理剤を、前記防食用水処理剤が１００〜２００ｍｇ／Ｌとなる量添加する防食方法に関する。
【発明の効果】
【００１３】
本発明によれば、液性がアルカリ性である上に、各防食剤成分の相互作用により相対的に低い配合量で、鉄系金属及び銅系金属の両方に対して十分な防食性を付与することのできる防食用水処理剤を提供できる。
【図面の簡単な説明】
【００１４】
【図１】本発明の一実施形態に係る防食用水処理剤を用いる冷却システムの構成を示す模式図である。
【発明を実施するための形態】
【００１５】
以下、本発明の一実施形態について説明する。
まず、本発明の一実施形態に係る防食用水処理剤を用いる冷却システム１について図面を参照しながら説明する。図１は、冷却システム１の構成を示す模式図である。図１に示すように、冷却システム１は、冷却塔１２０と、被冷却装置１３１と、循環水ポンプ１３２と、薬注部１５０と、を主要な構成として備える。また、冷却システム１は、循環水供給ラインＬ１１１及び循環水回収ラインＬ１１２からなる循環ラインＬ１１０と、補給水ラインＬ１２０と、を主要なラインとして備える。以下、冷却システム１の各構成について説明する。
【００１６】
冷却塔１２０は、塔本体１２１と、散水槽１４５と、散水部１４６と、充填材１４７と、ルーバ１４８と、ファン１４９と、貯留部１１６と、給水部１３７と、を備える。
【００１７】
塔本体１２１は、冷却塔１２０の外郭を形成する筐体である。この塔本体１２１に、冷却塔１２０の各構成要素が設けられる。
【００１８】
散水槽１４５は、塔本体１２１の上部に設けられる。散水槽１４５は、循環ラインＬ１１０の循環水回収ラインＬ１１２によって被冷却装置１３１と接続される。冷却塔１２０の稼動時には、被冷却装置１３１で使用された循環水Ｗ２が循環水回収ラインＬ１１２を通じて散水槽１４５に送られる。
【００１９】
散水部１４６は、散水槽１４５の下方に設けられる。散水部１４６は、複数のノズルから構成され、冷却塔１２０の稼動時に、散水槽１４５に貯留される循環水Ｗ２を塔本体１２１の内部に散布する。なお、散水槽１４５に貯留される循環水Ｗ２は、散水部１４６によって散水されるので、冷却塔１２０の稼動時（即ち、循環水ポンプ１３２の駆動時）のみ散水槽１４５に貯留された状態となる。
【００２０】
充填材１４７は、塔本体１２１の内部における散水部１４６の下方であって、貯留部１１６の上方に設けられる。充填材１４７は、散水部１４６から散布された循環水Ｗ２を滴状（又は液膜状）にして、循環水Ｗ２と外気との接触面積及び接触時間を長くする。これにより、循環水Ｗ２の冷却が効率的に行われる。
【００２１】
ルーバ１４８は、塔本体１２１の内部に外気を導入するための通気孔である。ルーバ１４８を通じて塔本体１２１の外部の空気が、塔本体１２１の内部へ流入可能になっている。
【００２２】
ファン１４９は、塔本体１２１の中央上部に形成される開口部１４１に設けられる。ファン１４９の回転駆動によって、ルーバ１４８から塔本体１２１の内部に外気が流入するとともに、開口部１４１を通じて塔本体１２１内部の空気が外部に流出する気流が生じる。
【００２３】
貯留部１１６は、塔本体１２１の下部に設けられる下部水槽である。散水部１４６から散布された循環水Ｗ２は、塔本体１２１の内部を落下する過程において冷却されて貯留部１１６に貯留される。貯留部１１６は、循環ラインＬ１１０の循環水供給ラインＬ１１１によって被冷却装置１３１と接続される。冷却塔１２０の稼動時には、貯留部１１６の循環水Ｗ２が循環水供給ラインＬ１１１を通じて被冷却装置１３１に供給される。
【００２４】
給水部１３７は、貯留部１１６内の循環水Ｗ２の水位（即ち、水量）を管理するものである。給水部１３７には、補給水Ｗ１を補給する補給水ラインＬ１２０が接続されており、循環水Ｗ２の蒸発及び飛散等により貯留部１１６の水位が所定水位よりも低下すると貯留部１１６に補給水Ｗ１を供給する。
【００２５】
本実施形態の給水部１３７は、浮き玉１３８と、給水弁１３９と、を備えるボールタップ式の給水装置である。貯留部１１６の水位が所定水位よりも低下すると、給水部１３７の浮き玉１３８が下方に動いて給水弁１３９が開き、給水弁１３９から補給水Ｗ１が貯留部１１６に流れる。
【００２６】
以上説明したように、本実施形態の冷却塔１２０は、いわゆる開放式冷却塔である。
被冷却装置１３１は、循環水Ｗ２による冷却が必要な熱交換器等の各種装置である。被冷却装置１３１は、例えば、各種工場のターボ冷凍機や吸収式冷凍機、建築物の空調用設備、食品工場の冷水製造機や真空冷却機等である。
【００２７】
循環水ポンプ１３２は、循環水供給ラインＬ１１１に設けられる。循環水ポンプ１３２は、循環ラインＬ１１０（循環水供給ラインＬ１１１、循環水回収ラインＬ１１２）の上流側から下流側へ向けて、循環水Ｗ２を送り出す循環駆動源である。この循環水ポンプ１３２の駆動によって循環ラインＬ１１０を循環水Ｗ２が流通する。
【００２８】
薬注部１５０は、循環水供給ラインＬ１１１を流通する循環水Ｗ２に後述の防食用水処理剤を添加する。
本実施形態に係る防食用水処理剤は、（ａ）ホスホノカルボン酸と、（ｂ）アゾール化合物と、（ｃ）アルカリ金属水酸化物と、（ｄ）水と、を含有する。
【００２９】
（ａ）ホスホノカルボン酸は、一般的に鉄防食剤として用いられる。（ａ）ホスホノカルボン酸は、分子中に１以上のホスホノ基と１以上のカルボキシル基を有する化合物である。（ａ）ホスホノカルボン酸としては、例えば、２−ホスホノブタン−１，２，４−トリカルボン酸、ヒドロキシホスホノ基、ホスホノポリマレイン酸、ホスホノコハク酸等を挙げることができる。
【００３０】
なお、（ａ）ホスホノカルボン酸は、ローディア社からＢＲＩＣＯＲＲ２８８の商品名、またＢＷＡ社からＢＥＬＣＯＲ５８５の商品名で市販されている。ホスホノカルボン酸は、例えば、中性〜アルカリ性の水性溶媒中で亜リン酸とモノエチレン性不飽和カルボン酸とを遊離ラジカル開始剤の存在下で加熱することにより製造することができる。また、ホスホノカルボン酸は、次亜リン酸とカルボニル化合物やイミン化合物との反応物を反応開始剤の存在下で不飽和カルボン酸と反応させることによっても得ることができる。
【００３１】
防食用水処理剤は、（ａ）ホスホノカルボン酸を５〜７．５質量％含有する。防食用水処理剤が、（ａ）ホスホノカルボン酸を５質量％未満含有する場合、防食用水処理剤の鉄及び銅に対する防食性が低下する。一方、防食用水処理剤が、（ａ）ホスホノカルボン酸を７．５質量％超含有する場合、防食用水処理剤の液安定性が低下する。
【００３２】
（ｂ）アゾール化合物は、一般的に銅防食剤として用いられる。（ｂ）アゾール化合物としては、例えば、ベンゾイミダゾール、１，２，３−ベンゾトリアゾール（以下、単に「ベンゾトリアゾール」と言う場合がある）、トリルトリアゾール、２−メルカプトベンゾチアゾール、２−アミノベンゾチアゾール等を挙げることができる。防食用水処理剤は、（ｂ）アゾール化合物として、ベンゾトリアゾールを含有することが好ましい。
【００３３】
防食用水処理剤は、（ｂ）アゾール化合物を０．５〜２質量％含有する。防食用水処理剤が、（ｂ）アゾール化合物を０．５質量％未満含有する場合、防食用水処理剤の鉄及び銅に対する防食性が低下する。一方、防食用水処理剤が、（ｂ）ベンゾアゾール化合物を２質量％超含有する場合、防食用水処理剤の液安定性が低下する。
【００３４】
（ｃ）アルカリ金属水酸化物は、ｐＨ調整剤である。（ｃ）アルカリ金属水酸化物としては、例えば、水酸化ナトリウム、水酸化カリウム、水酸化リチウム等を挙げることができる。防食用水処理剤は、（ｃ）アルカリ金属水酸化物として、水酸化ナトリウム及び水酸化カリウムの少なくとも一方を含有することが好ましい。
【００３５】
防食用水処理剤は、（ｃ）アルカリ金属水酸化物を、体積が１０倍となるように防食用水処理剤を水で希釈した際のｐＨが９以上となる量含有する。防食用水処理剤を水で希釈した際のｐＨが９未満の場合、防食用水処理剤の液安定性が低下する。
（ｄ）水としては、純水と水道水のいずれを用いてもよい。
【００３６】
また、本実施形態に係る防食用水処理剤は、（ｅ）水溶性亜鉛化合物を更に含有するのが好ましい。（ｅ）水溶性亜鉛化合物は、一般的に鉄防食剤として用いられる。（ｅ）水溶性亜鉛化合物としては、例えば、塩化亜鉛、硫酸亜鉛、硝酸亜鉛、グルコン酸亜鉛等を挙げることができる。防食用水処理剤は、（ｅ）水溶性亜鉛化合物として、塩化亜鉛、硫酸亜鉛及び硝酸亜鉛からなる群より選択される少なくとも一種の亜鉛化合物を含有するのが好ましい。
【００３７】
防食用水処理剤は、（ｅ）水溶性亜鉛化合物を亜鉛元素換算で０．２５〜１質量％含有するのが好ましい。防食用水処理剤が、（ｅ）水溶性亜鉛化合物を亜鉛元素換算で０．２５質量％未満含有する場合、防食用水処理剤の鉄及び銅に対する防食性が低下する傾向がある。一方、防食用水処理剤が、（ｅ）水溶性亜鉛化合物を亜鉛元素換算で１質量％超含有する場合、防食用水処理剤の液安定性が低下する傾向にある。
【００３８】
本実施形態に係る防食用水処理剤は、必要に応じて殺菌剤及びスケール防止剤等を含有してもよい。殺菌剤としては、例えば、トリクロロイソシアヌル酸、１−ブロモ−３−クロロ−５，５−ジメチルヒダントイン等のハロゲン系殺菌剤や、５−クロロ−２−メチル−４−イソチアゾリン−３−オン、２−メチル−４−イソチアゾリン−３−オン、２−（ｔ−ブチルアミノ）−４−クロロ−６−エチルアミノ−１，３，５−トリアジン等の有機系殺菌剤を挙げることができる。また、スケール防止剤としては、例えば、ポリアクリル酸、ポリアクリル酸塩、ポリマレイン酸、ポリマレイン酸塩等を挙げることができる。
【００３９】
続いて、本実施形態に係る防食方法について説明する。本実施形態に係る防食方法では、循環水Ｗ２に対して、防食用水処理剤を、防食用水処理剤が１２０〜４００ｍｇ／Ｌとなる量添加するのが好ましい。循環水Ｗ２に対して、防食用水処理剤が１２０ｍｇ／Ｌ未満となる量の防食用水処理剤を添加した場合、防食性が低下する傾向にある。一方、循環水Ｗ２に対して、防食用水処理剤が４００ｍｇ／Ｌ超となる量の防食用水処理剤を添加した場合、防食用水処理剤添加による水処理コストが高くなり過ぎる傾向にある。
【００４０】
なお、防食用水処理剤が（ｅ）水溶性亜鉛化合物を含有する場合には、（ｅ）水溶性亜鉛化合物を含有しない場合に比べて防食用水処理剤の添加量を少なくできる。これは、防食用水処理剤が少ない量であっても、（ｅ）水溶性亜鉛化合物によって金属に防食性が付与されるためである。
【００４１】
防食用水処理剤が（ｅ）水溶性亜鉛化合物を含有する場合、具体的には、循環水Ｗ２に対して、防食用水処理剤を、防食用水処理剤が１００〜２００ｍｇ／Ｌとなる量添加するのが好ましい。循環水Ｗ２に対して、防食用水処理剤が１００ｍｇ／Ｌ未満となる量の防食用水処理剤を添加した場合、防食性が低下する傾向にある。一方、循環水Ｗ２に対して、防食用水処理剤が２００ｍｇ／Ｌ超となる量の防食用水処理剤を添加した場合、防食用水処理剤添加による水処理コストが高くなり過ぎる傾向にある。
【００４２】
上記実施形態に係る防食用水処理剤及び防食方法によれば、以下の効果が奏される。
（１）上記実施形態では、防食用水処理剤が、（ａ）ホスホノカルボン酸を５〜７．５質量％と、（ｂ）ベンゾアゾール化合物を０．５〜２質量％と、（ｃ）アルカリ金属水酸化物と、（ｄ）水と、を含有するものとした。更に、防食用水処理剤を体積が１０倍となるように水で希釈した際のｐＨが、９以上であるものとした。
これにより、液性がアルカリ性でも液の安定性が高い上に、鉄系金属及び銅系金属の両方に対して十分な防食性を付与することのできる防食用水処理剤を提供できる。
【００４３】
（２）上記実施形態では、防食用水処理剤が、（ｅ）水溶性亜鉛化合物を亜鉛元素換算で０．２５〜１質量％を更に含有するものとした。
これにより、上記実施形態に係る防食用水処理剤によって、鉄系金属及び銅系金属の両方に対して十分な防食性を付与することができる。
【００４４】
（３）上記実施形態では、循環水Ｗ２に対して、上記実施形態の防食用水処理剤を、防食用水処理剤が１２０〜４００ｍｇ／Ｌとなる量添加した。
これにより、冷却システム１を構成する鉄系金属及び銅系金属の両方に対して十分な防食性を付与することができる。
【００４５】
（４）上記実施形態では、循環水Ｗ２に対して、上記実施形態の防食用水処理剤を、防食用水処理剤が１００〜２００ｍｇ／Ｌとなる量添加した。
これにより、冷却システム１を構成する鉄系金属及び銅系金属の両方に対して十分な防食性を付与することができる。
【００４６】
以上、本発明の一実施形態に係る防食用水処理剤及び防食方法について説明したが、本発明は上述の実施形態に制限されるものではなく、適宜変更が可能である。
本実施形態においては、循環水供給ラインＬ１１１を流通する循環水Ｗ２に防食用水処理剤を添加したが、本発明においては、防食用水処理剤を添加する位置については特に限定されない。本発明に係る防食用水処理剤は、冷却塔１２０と被冷却装置１３１との間を循環する循環水に対して添加されていればよく、例えば、循環水回収ラインＬ１１２を流通する循環水Ｗ２や貯留部１１６内の循環水Ｗ２に添加してもよいし、補給水ラインＬ１２０に添加してもよい。
対象となる冷却塔も、開放式冷却塔に限られるものではなく、密閉式冷却塔に適用されてもよい。
【実施例】
【００４７】
次に、本発明を実施例に基づいて更に詳細に説明するが、本発明はこれに限定されるものではない。
【００４８】
［実施例及び比較例］
ホスホノカルボン酸、重合リン酸化合物、ベンゾトリアゾール、硝酸亜鉛及び水酸化ナトリウムを、それぞれ表１に示した含有量（単位：質量％）となるように純水（２５℃）に溶解させることで、実施例及び比較例の各防食用水処理剤を調製した。なお、水酸化ナトリウムについては、防食用水処理剤を体積が１０倍となるように水で希釈した際のｐＨが、表１に示したｐＨとなる量、防食用水処理剤に含有させた。
【００４９】
ホスホノカルボン酸については、ＢＥＬＣＯＲ５８５（ＢＷＡ社製、有効成分濃度５０％）を用いた。重合リン酸化合物については、ヘキサメタリン酸ナトリウムを用いた。
【００５０】
［防食性］
実施例及び比較例の防食用水処理剤について、ＪＩＳ  Ｋ  ０１００−１９９０（工業用水腐食性試験方法）に規定の回転法に準じて腐食試験を行った。即ち、鉄試験片２枚と銅試験片２枚とを試験片保持器に交互に取付け、１Ｌビーカーに満たした試験水中に浸漬した。ビーカーを恒温槽中に入れて、試験水の温度を３７℃に保った。試験片保持器をモーター回転軸に取り付け、上記試験片を１５０ｒｐｍで回転させた。６日間、マイクロチューブポンプを用いて流速５０ｍＬ／時で連続的に試験水を上記ビーカーに補給した。試験前後の試験片の重量減少量より腐食量（ｍｄｄ、単位：ｍｇ・ｄｍ−２・ｄａｙ−１）を下記式：
腐食量（ｍｄｄ）＝Ｘ／（Ｙ×Ｚ）
（式中、Ｘは、試験前後の試験片の重量減少量（ｍｇ）を、Ｙは、試験片の表面積（ｄｍ２）を、Ｚは、試験日数（日）を示す）
により計算した。鉄試験片については腐食速度が２２ｍｇ・ｄｍ−２・ｄａｙ−１未満であれば、銅試験片については腐食速度が２．５ｍｇ・ｄｍ−２・ｄａｙ−１未満であれば、十分に防食性が高いと評価した。結果を表１に示す。
【００５１】
なお、用いた鉄試験片及び銅試験片の詳細は以下のとおりである。
鉄試験片（ＳＳ４００、寸法：１．６ｍｍ×３０ｍｍ×３０ｍｍ、全面＃４００研磨、主面中心に４ｍｍφの貫通孔）
銅試験片（Ｃ１２２０Ｐ、寸法：１．６ｍｍ×３０ｍｍ×３０ｍｍ、全面＃４００研磨、主面中心に４ｍｍφの貫通孔）
【００５２】
また、試験水として、以下の水質を有する腐食性の強いものを用いた。
試験水の水質：塩化物イオン３００ｍｇ／Ｌ、硫酸イオン３００ｍｇ／Ｌ、酸消費量（ｐＨ４．８）３００ｍｇＣａＣＯ３／Ｌ、ケイ酸５ｍｇ／Ｌ（ＳｉＯ２換算）、硬度４０ｍｇＣａＣＯ３／Ｌ
また、実施例及び比較例において、防食用水処理剤維持濃度は、試験水中に１００ｍｇ／Ｌとなるように希釈して使用した。
【００５３】
［保存安定性］
実施例及び比較例の各防食用水処理剤について、保存安定性を評価した。保存安定性の評価は、各防食用水処理剤を２５℃の環境下で３０日間放置することで行った。保存安定性の評価は、放置後に沈殿や濁りが生じない場合には評価結果を「○」とし、放置後に沈殿や濁りが生じた場合には評価結果を「×」とした。結果を表１に示す。
【００５４】
【表１】
2017088993.tif 000003
【００５５】
実施例２と比較例１との比較から、実施例２の防食用水処理剤の方が比較例１の防食用水処理剤よりも鉄系金属及び銅系金属に高い防食性を付与できることが分かった。実施例３と比較例２との比較から、実施例３の防食用水処理剤の方が比較例２の防食用水処理剤よりも保存安定性が高いことが分かった。これらの結果から、防食用水処理剤は、（ａ）ホスホノカルボン酸を５〜７．５質量％含有することで、保存安定性が高い上に鉄系金属及び銅系金属に高い防食性を付与できることが確認された。なお、比較例５の防食用水処理剤のように（ａ）ホスホノカルボン酸の一部を他の鉄防食剤であるヘキサメタリン酸ナトリウムとした場合には、鉄系金属に対して十分な防食性を付与できない。
【００５６】
実施例４と比較例３との比較から、実施例４の防食用水処理剤の方が比較例３の防食用水処理剤よりも鉄系金属と銅系金属に高い防食性を付与できることが分かった。実施例５と比較例４との比較から、実施例５の防食用水処理剤の方が比較例４の防食用水処理剤よりも保存安定性が高いことが分かった。これらの結果から、防食用水処理剤は、（ｂ）ベンゾアゾール化合物を０．５〜２質量％含有することで、保存安定性が高い上に鉄系金属及び銅系金属に高い防食性を付与できることが確認された。
【００５７】
即ち、各実施例及び比較例の結果から、本発明の防食用水処理剤によれば、（ａ）ホスホノカルボン酸を５〜７．５質量％、（ｂ）ベンゾアゾール化合物を０．５〜２質量％含有させることによる相乗効果で、鉄系金属及び銅系金属の両方に対して十分な防食性を付与できることが確認された。更に（ｅ）水溶性亜鉛化合物を亜鉛元素換算で０．２５〜１質量％を含有させることにより、（ａ）（ｂ）（ｅ）３成分の相乗効果で、鉄系金属及び銅系金属の両方に対してより十分な防食性を付与できることが確認された。
【００５８】
実施例９と比較例６との比較から、実施例９の防食用水処理剤の方が比較例６の防食用水処理剤よりも保存安定性が高いことが分かった。この結果から、防食用水処理剤は、体積が１０倍となるように水で希釈した際のｐＨが９以上であることで、高い保存安定性を維持できることが確認された。なお、防食用水処理剤は、体積が１０倍となるように水で希釈した際のｐＨとしては、劇物に該当しないことから、取扱上はｐＨが１３以下であることが望ましい。
【符号の説明】
【００５９】
１２０…冷却塔
１３１…被冷却装置
Ｗ２…循環水
【図１】
2017088993.tif 000004